(57)【特許請求の範囲】
【請求項１】
箱状のケース体と、この箱状のケース体内を通過するように余長光ファイバーケーブルを挿入することができるようにほぼ中央上面および両側壁に形成された光ファイバーケーブル挿入孔と、前記ケース体内に光ファイバーケーブルの特性を損なうことのない曲げで巻取ることができるように回転可能に取付けられた一方側の余長巻取りドラム、この一方側の余長巻取りドラムの上部に固定された外周部に該一方側の余長巻取りドラムへ光ファイバーケーブルをガイドするガイド部が形成された下部フランジ、この下部フランジの上部に隙間を介して固定された一対のガイドドラム、この一対のガイドドラムの上部を覆うように固定された、ほぼ中央部に光ファイバーケーブル挿入孔および外周部に光ファイバーケーブルを上部へガイドするガイド部が形成された上部フランジ、この上部フランジの上面に固定された該上部フランジの光ファイバーケーブル挿入孔と対応する光ファイバーケーブル挿入孔が形成された他方側の余長巻取りドラムおよびこの他方側の余長巻取りドラムあるいは前記一方側の余長巻取りドラムを前記ケース体の外側より回転させることができる回転具とからなる余長光ファイバーケーブル巻取り体とからなることを特徴とする光ファイバーケーブルの余長巻取り具。
【請求項２】
箱状のケース体と、この箱状のケース体内を通過するように余長光ファイバーケーブルを挿入することができるように、ほぼ中央上面および両側壁に形成された光ファイバーケーブル挿入孔と、前記ケース体内に光ファイバーケーブルの特性を損なうことのない曲げで巻取ることができるように回転可能に取付けられた直径が６０ミリメートル以上の一方側の余長巻取りドラム、この一方側の余長巻取りドラムの上部に固定された外周部に該一方側の余長巻取りドラムへ光ファイバーケーブルをガイドするガイド部が形成された直径が１２０ミリメートル以上の下部フランジ、この下部フランジの上部に隙間を介して固定された直径が６０ミリメートル以上の一対のガイドドラム、この一対のガイドドラムの上部を覆うように固定されたほぼ中央部に光ファイバーケーブル挿入孔および外周部に光ファイバーケーブルを上部へガイドするガイド部が形成された直径が１２０ミリメートル以上の上部フランジ、この上部フランジの上面に固定された該上部フランジの光ファイバーケーブル挿入孔と対応する光ファイバーケーブル挿入孔が形成された直径が６０ミリメートル以上の他方側の余長巻取りドラムおよびこの他方側の余長巻取りドラムを前記ケース体の外側より回転させることができる回転具とからなる余長光ファイバーケーブル巻取り体とからなることを特徴とする光ファイバーケーブルの余長巻取り具。
【請求項３】
箱状のケース体と、この箱状のケース体内を通過するように余長光ファイバーケーブルを挿入することができるようにほぼ中央上面および両側壁に形成された光ファイバーケーブル挿入孔と、前記ケース体内に回転可能に取付けられたフランジ、このフランジの下部中央部に光ファイバーケーブルの特性を損なうことのない曲げで巻取ることができるように形成された一方側の余長巻取りドラム、前記フランジの上部に隙間を介して固定された一対のガイドドラム、この一対のガイドドラム上面に固定された該一対のガイドドラムの隙間と対応する光ファイバーケーブル挿入孔が形成された他方側の余長巻取りドラム、前記フランジの外周部に形成した巻取られる余長光ファイバーケーブルを前記一対のガイドドラムから前記一方側の余長巻取りドラムと他方側の余長巻取りドラムへ導くガイド片とガイド切欠部および前記他方側の余長巻取りドラムあるいは前記一方側の余長巻取りドラムを前記ケース体の外側より回転させることができる回転具とからなる余長光ファイバーケーブル巻取り体とからなることを特徴とする光ファイバーケーブルの余長巻取り具。
【発明の詳細な説明】
【０００１】
【発明の属する技術分野】
本発明は光ファイバーケーブル配線時に生じる、配線光ファイバーケーブルの余長を巻取る光ファイバーケーブルの余長巻取り具に関する。
【０００２】
【従来の技術】
従来、電線の余長巻取り具として箱状のケース体と、この箱状のケース体内を通過するように電線を挿入することができるように中央上面および両側壁に形成された電線挿入孔と、前記ケース体内に回転可能に取付けられた中央部に前記電線挿入孔と対応する電線挿入溝が形成された電線巻取りドラムとで構成されたものが使用されている。
【０００３】
【発明が解決しようとする課題】
従来の電線の余長巻取り具に余長光ファイバーケーブルを巻取った場合、電線巻取りドラムの電線挿入溝から電線巻取りブラムの外周部への巻取り部が鋭角に曲げられるため、光ファイバーケーブルの特性が損なわれ、使用できないという欠点があった。
【０００４】
本発明は以上のような従来の欠点に鑑み、配線時に生じる配線光ファイバーケーブルの余長を配線光ファイバーケーブルの特性を損なうことなく、容易に巻取ることができる光ファイバーケーブルの余長巻取り具を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は箱状のケース体と、この箱状のケース体内を通過するように余長光ファイバーケーブルを挿入することができるようにほぼ中央上面および両側壁に形成された光ファイバーケーブル挿入孔と、前記ケース体内に光ファイバーケーブルの特性を損なうことのない曲げで巻取ることができるように回転可能に取付けられた一方側の余長巻取りドラム、この一方側の余長巻取りドラムの上部に固定された外周部に該一方側の余長巻取りドラムへ光ファイバーケーブルをガイドするガイド部が形成された下部フランジ、この下部フランジの上部に隙間を介して固定された一対のガイドドラム、この一対のガイドドラムの上部を覆うように固定された、ほぼ中央部に光ファイバーケーブル挿入孔および外周部に光ファイバーケーブルを上部へガイドするガイド部が形成された上部フランジ、この上部フランジの上面に固定された該上部フランジの光ファイバーケーブル挿入孔と対応する光ファイバーケーブル挿入孔が形成された他方側の余長巻取りドラムおよびこの他方側の余長巻取りドラムあるいは前記一方側の余長巻取りドラムを前記ケース体の外側より回転させることができる回転具とからなる余長光ファイバーケーブル巻取り体とで光ファイバーケーブルの巻取り具を構成している。
【０００７】
【発明の実施の形態】
以下、図面に示す実施の形態により、本発明を詳細に説明する。
【０００８】
図１ないし図８に示す本発明の第１の実施の形態において、１は本発明の配線光ファイバーケーブル２の余長を巻取る光ファイバーケーブルの余長巻取り具で、この光ファイバーケーブルの余長巻取り具１はほぼ中央上面および両側壁に光ファイバーケーブル挿入孔３が形成された箱状のケース体４と、この箱状のケース体４内に回転可能に取付けられた、前記配線光ファイバーケーブル２の余長を該配線光ファイバーケーブル２の特性を損なうことのない曲げで巻取ることができる余長光ファイバーケーブルの巻取り体５とで構成されている。
【０００９】
前記箱状のケース体４は円盤状に形成され、上面板４ａの中央部には透孔６が形成されている。
【００１０】
前記余長光ファイバーケーブル巻取り体５は、光ファイバーケーブル２の特性を損なうことのない直径が６０ミリメートル以上の一方側の余長巻取りドラム７と、この一方側の余長巻取りドラム７の上面に該一方側の余長巻取りドラム７が中央部に位置するように固定された、直径が１２０ミリメートル以上の下部フランジ８と、この下部フランジ８の上面に隙間９を介して固定された直径が６０ミリメートル以上の一対のガイドドラム１０、１０と、この一対のガイドドラム１０、１０の上部を覆うように固定された、ほぼ中央部に光ファイバーケーブル挿入孔１１が形成された直径が１２０ミリメートル以上の上部フランジ１２と、この上部フランジ１２の上面に固定された該上部フランジ１２の光ファイバーケーブル挿入孔１１と対応する光ファイバーケーブル挿入孔１３が形成された、直径が６０ミリメートル以上の他方側の余長巻取りドラム１４と、この他方側の余長巻取りドラム１４の外周部を除く光ファイバーケーブル挿入孔１３の端部に上方に突出するように一体形成された回転具としての回転用摘み１５、１５と、前記下部フランジ８および前記上部フランジ１２の外周部に形成された、前記一対のガイドドラム１０、１０から一方側の余長光ファイバーケーブル２を前記一方側の余長巻取りドラム７へ、他方側の余長光ファイバーケーブル２を前記他方側の余長巻取りドラム１４へガイドする下部ガイド１６および上部ガイド１７とで構成されている。
【００１１】
上記構成の光ファイバーケーブルの余長巻取り具１は配線光ファイバーケーブル２の余長のほぼ中央部を箱状のケース体４の光ファイバーケーブル挿入孔３および余長光ファイバーケーブル巻取り体５の他方側の余長巻取りドラム１４、上部フランジ１２の光ファイバーケーブル挿入孔１３、１１を通過させて一対のガイドドラム１０、１０間の隙間９に位置させる。
しかる後、余長光ファイバーケーブル巻取り体５の回転具としての回転用摘み１５、１５を回転させることにより、配線光ファイバーケーブル２は一対のガイドドラム１０、１０に巻付き、下部ガイド１６および上部ガイド１７より一方側の余長巻取りドラム７と他方側の余長巻取りドラム１４に巻取られる。
なお、巻取られた配線光ファイバーケーブル２は余長光ファイバーケーブル巻取り体５を逆回転させることにより、外方へ出すことができる。
【００１２】
【発明の異なる実施の形態】
次に、図９ないし図２０に示す本発明の異なる実施の形態につき説明する。なお、これらの本発明の異なる実施の形態の説明に当って、前記本発明の第１の実施の形態と同一構成部分には同一符号を付して重複する説明を省略する。
【００１３】
図９ないし図１１に示す本発明の第２の実施の形態において、前記本発明の第１の実施の形態と主に異なる点は、四角形状の箱状のケース体４Ａを用い、対角線状に光ファイバーケーブル挿入孔３Ａを形成した点で、このような箱状のケース体４Ａを用いて構成した光ファイバーケーブルの余長巻取り具１Ａにしても、前記本発明の第１の実施の形態と同様な作用効果が得られる。
【００１４】
図１２ないし図１４に示す本発明の第３の実施の形態において、前記本発明の第１の実施の形態と主に異なる点は、箱状のケース体４の下面板４ｂの中央部に透孔１８を形成し、一方側の余長巻取りドラム７にも回転具としての回転用摘み１９を形成した点で、このように構成した光ファイバーケーブルの余長巻取り具１Ｂにしても、前記本発明の第１の実施の形態と同様な作用効果が得られる。
【００１５】
図１５ないし図１７に示す本発明の第４の実施の形態において、前記本発明の第１の実施の形態と主に異なる点は、回転フランジ２０の下面中央部に一方側の余長巻取りドラム７を固定あるいは一体形成するとともに、回転フランジ２０の上面に一対のガイドドラム１０、１０および該一対のガイドドラム１０、１０の隙間９と対応する光ファイバーケーブル挿入孔１３が形成された他方側の余長巻取りドラム１４を固定あるいは一体形成し、前記回転フランジ２０の外周部に巻取られる余長光ファイバーケーブル２を前記一対のガイドドラム１０、１０から前記一方側の余長巻取りドラム７と他方側の余長巻取りドラム１４へ導くガイド片２１とガイド切欠部２２を形成した余長光ファイバーケーブル巻取り体５Ａを用いた点で、このように構成された余長光ファイバーケーブル巻取り体５Ａを用いた光ファイバーケーブルの余長巻取り具１Ｃにしても、前記本発明の第１の実施の形態と同様な作用効果が得られるとともに、部品点数を削減することができる。
【００１６】
図１８ないし図２０に示す本発明の第５の実施の形態において、前記本発明の第１の実施の形態と主に異なる点は、光ファイバーケーブル挿入孔３の両側壁部位に光コネクタ収納凹部２３、２３を形成した箱状のケース体４Ｂを用いた点で、このように形成された箱状のケース体４Ｂを用いた光ファイバーケーブルの余長巻取り具１Ｄにしても、前記本発明の第１の実施の形態と同様な作用効果が得られるとともに、箱状のケース体４Ｂの光コネクタ収納凹部２３、２３に巻き取った光ファイバーケーブルの光コネクタを収納することができる。
なお、箱状のケース体４Ｂに形成する光コネクタ収納凹部２３は光ファイバーケーブル挿入孔３の一方の側壁部位にだけ形成してもよい。
【００１７】
なお、前記本発明の各実施の形態では光ファイバーケーブルの余長巻取り体５を手で回転させるものについて説明したが、本発明はこれに限らず、渦巻きスプリング等を用いて巻取り時に自動的に回転できるようにしてもよい。この場合、渦巻きスプリングの回転力をロック、ロック解除できるようにする。
【００１８】
【発明の効果】
以上の説明から明らかなように、本発明にあっては次に列挙する効果が得られる。
【００１９】
（１）箱状のケース体と、この箱状のケース体内を通過するように余長光ファイバーケーブルを挿入することができるようにほぼ中央上面および両側壁に形成された光ファイバーケーブル挿入孔と、前記ケース体内に光ファイバーケーブルの特性を損なうことのない曲げで巻取ることができるように回転可能に取付けられた一方側の余長巻取りドラム、この一方側の余長巻取りドラムの上部に固定された外周部に該一方側の余長巻取りドラムへ光ファイバーケーブルをガイドするガイド部が形成された下部フランジ、この下部フランジの上部に隙間を介して固定された一対のガイドドラム、この一対のガイドドラムの上部を覆うように固定された、ほぼ中央部に光ファイバーケーブル挿入孔および外周部に光ファイバーケーブルを上部へガイドするガイド部が形成された上部フランジ、この上部フランジの上面に固定された該上部フランジの光ファイバーケーブル挿入孔と対応する光ファイバーケーブル挿入孔が形成された他方側の余長巻取りドラムおよびこの他方側の余長巻取りドラムあるいは前記一方側の余長巻取りドラムを前記ケース体の外側より回転させることができる回転具とからなる余長光ファイバーケーブル巻取り体とで構成されているので、配線された光ファイバーケーブルの余長を、光ファイバーケーブルの特性を損なうことのない曲げで巻取ることができる。
したがって、光ファイバーケーブルの配線を、余長を気にすることなく楽に行なうことができるとともに、配線をきれいに配置することができる。
【００２０】
（２）前記（１）によって、余長光ファイバーケーブル巻取り体を回転させるだけで、光ファイバーケーブルの特性を損なうことのない曲げで巻取れるので、だれでもが容易に、安全に使用することができる。
【００２１】
（３）前記（１）によって、余長光ファイバーケーブルの余長の中央部を光ファイバーケーブル挿入孔に挿入して回転させるだけで、余長を巻取れるので、取付けが容易で、簡単にできる。
【００２２】
（４）請求項２、３も前記（１）〜（３）と同様な効果が得られる。
【図面の簡単な説明】
【図１】本発明の第１の実施の形態の平面図。
【図２】本発明の第１の実施の形態の正面図。
【図３】本発明の第１の実施の形態の側面図。
【図４】図１の４−４線に沿う断面図。
【図５】余長光ファイバーケーブル巻取り体の分解斜視図。
【図６】余長光ファイバーケーブル巻取り体の正面図。
【図７】余長光ファイバーケーブル巻取り体の背面図。
【図８】本発明の第１の実施の形態の巻取り状態の説明図。
【図９】本発明の第２の実施の形態の平面図。
【図１０】本発明の第２の実施の形態の正面図。
【図１１】本発明の第２の実施の形態の側面図。
【図１２】本発明の第３の実施の形態の平面図。
【図１３】本発明の第３の実施の形態の底面図。
【図１４】図１２の１４−１４線に沿う断面図。
【図１５】本発明の第４の実施の形態の平面図。
【図１６】本発明の第４の実施の形態の一部破断正面図。
【図１７】余長光ファイバーケーブル巻取り体の斜視図。
【図１８】本発明の第５の実施の形態の平面図。
【図１９】本発明の第５の実施の形態の正面図。
【図２０】本発明の第５の実施の形態の巻取り状態の説明図。
【符号の説明】
１、１Ａ〜１Ｄ：光ファイバーケーブルの余長巻取り具、
２：配線光ファイバーケーブル、
３、３Ａ：光ファイバーケーブル挿入孔、
４、４Ａ、４Ｂ：箱状のケース体、
５：余長光ファイバーケーブル巻取り体、
６：透孔、
７：一方側の余長巻取りドラム、
８：下部フランジ、      ９：隙間、
１０：ガイドドラム、
１１：光ファイバーケーブル挿入孔、
１２：上部フランジ、
１３：光ファイバーケーブル挿入孔、
１４：他方側の余長巻取りドラム、
１５：回転具としての回転用摘み、
１６：下部ガイド、      １７：上部ガイド、
１８：透孔、
１９：回転具としての回転用摘み、
２０：回転フランジ、
２１：ガイド片、
２２：ガイド切欠部、
２３：光コネクタ収納凹部。
【図１】
0004129348.tif 000002
【図２】
0004129348.tif 000003
【図３】
0004129348.tif 000004
【図４】
0004129348.tif 000005
【図５】
0004129348.tif 000006
【図６】
0004129348.tif 000007
【図７】
0004129348.tif 000008
【図８】
0004129348.tif 000009
【図９】
0004129348.tif 000010
【図１０】
0004129348.tif 000011
【図１１】
0004129348.tif 000012
【図１２】
0004129348.tif 000013
【図１３】
0004129348.tif 000014
【図１４】
0004129348.tif 000015
【図１５】
0004129348.tif 000016
【図１６】
0004129348.tif 000017
【図１７】
0004129348.tif 000018
【図１８】
0004129348.tif 000019
【図１９】
0004129348.tif 000020
【図２０】
0004129348.tif 000021